【手続補正書】
【提出日】平成18年10月5日(2006.10.5)
【手続補正１】
【補正対象書類名】特許請求の範囲
【補正対象項目名】全文
【補正方法】変更
【補正の内容】
【特許請求の範囲】
【請求項１】
ウレア／ウレタンポリマーから調製されるフィルムであって、（ａ）テトラヒドロフランと、アルキレンオキシドおよび環状アセタールのいずれかまたは両方と、から調製されるヒドロキシ末端コポリマーから誘導される繰り返し単位、および（ｂ）ポリイソシアネートから誘導される繰り返し単位；を含み、
ここで前記ウレア／ウレタンポリマーには、式−Ｒ−Ｎ（Ｒ２）−Ｃ（Ｏ）−Ｎ（Ｒ２）−Ｒ１−で表されるウレア単位を約２モルパーセント未満で含み；
ここでＲは芳香族炭化水素基であり、Ｒ１は脂肪族炭化水素基であり、そしてＲ２はＨ、または式−Ｃ（Ｏ）−Ｎ（Ｒ２）−Ｒ−で表されるアミド基であり；そして
ここで前記テトラヒドロフランは次式で表され、
【化１】
2006517986.tif 000001
ここで、Ｒ４の内のいずれか１つはＣ１〜Ｃ４アルキル基であり、残りのＲ４は水素であることを特徴とするフィルム。
【請求項２】
アイオノマー性のウレア／ウレタンポリマーから調製されるフィルムであって、（ａ）約７００〜約１５００の分子量を有する脂肪族ポリエーテルポリオールから誘導される繰り返し単位、および（ｂ）ポリイソシアネートから誘導される繰り返し単位、を含み、
ここで前記ウレア／ウレタンポリマーには、式−Ｒ−Ｎ（Ｒ２）−Ｃ（Ｏ）−Ｎ（Ｒ２）−Ｒ１−で表されるウレア単位を約２モルパーセント未満で含み；
ここでＲは芳香族のＣ６〜Ｃ２０炭化水素基であり、Ｒ１は脂肪族のＣ１〜Ｃ２０炭化水素基であり、そしてＲ２はＨ、または式−Ｃ（Ｏ）−Ｎ（Ｒ２）−Ｒ−で表されるアミド基であることを特徴とするフィルム。
【請求項３】
アイオノマー性のウレア／ウレタンポリマーから調製されるフィルムであって、（ａ）脂肪族ポリエステルポリオールから誘導される繰り返し単位、および（ｂ）ポリイソシアネートから誘導される繰り返し単位、を含み、
ここで前記ウレア／ウレタンポリマーには、式−Ｒ−Ｎ（Ｒ２）−Ｃ（Ｏ）−Ｎ（Ｒ２）−Ｒ１−で表されるウレア単位を約２モルパーセント未満で含み、
ここでＲはＣ６〜Ｃ２０の芳香族炭化水素基であり、Ｒ１はＣ１〜Ｃ２０の脂肪族炭化水素基であり、そしてＲ２はＨ、または式Ｃ（Ｏ）−Ｎ（Ｒ２）−Ｒ−で表されるアミド基である、ことを特徴とするフィルム。
【手続補正２】
【補正対象書類名】明細書
【補正対象項目名】００６６
【補正方法】変更
【補正の内容】
【００６６】
本発明のポリ（ウレア／ウレタン）および分散体から調製した手袋は、たとえば、親指と人差し指をイソプロピルアルコールに漬けた後、約３０〜約６０秒間こすり合わせても、両指の間の接触点で穴が開いたり破れたりして、たとえば皮膚が露出するようなことはない。
以下、本明細書に記載の発明を列記する。
１．  ウレア／ウレタンポリマーから調製されるフィルムであって、（ａ）テトラヒドロフランと、アルキレンオキシドおよび環状アセタールのいずれかまたは両方と、から調製されるヒドロキシ末端コポリマーから誘導される繰り返し単位、および（ｂ）ポリイソシアネートから誘導される繰り返し単位；を含み、
ここで前記ウレア／ウレタンポリマーには、式−Ｒ−Ｎ（Ｒ２）−Ｃ（Ｏ）−Ｎ（Ｒ２）−Ｒ１−で表されるウレア単位を約２モルパーセント未満で含み；
ここでＲは芳香族炭化水素基であり、Ｒ１は脂肪族炭化水素基であり、そしてＲ２はＨ、または式−Ｃ（Ｏ）−Ｎ（Ｒ２）−Ｒ−で表されるアミド基であり；そして
ここで前記テトラヒドロフランは次式で表され、
【化２】
2006517986.tif 000002
ここで、Ｒ４の内のいずれか１つはＣ１〜Ｃ４アルキル基であり、残りのＲ４は水素であることを特徴とするフィルム。
２．  前記ポリイソシアネートが、トルエンジイソシアネート、メチレンジフェニルジイソシアネートおよびポリメチレンポリフェニルイソシアネートからなる群より選択されることを特徴とする前記１．に記載のフィルム。
３．  前記アルキレンオキシドが、１，２−プロピレンオキシドおよびエチレンオキシドからなる群より選択されることを特徴とする前記１．に記載のフィルム。
４．  前記アルキレンオキシドがエチレンオキシドであることを特徴とする前記１．に記載のフィルム。
５．  前記テトラヒドロフランの中のＲ４がそれぞれ水素であることを特徴とする前記１．に記載のフィルム。
６．  前記テトラヒドロフランにおけるそれぞれのＲ４が水素であり、前記ヒドロキシ末端コポリマーがアルキレンオキシドから調製され、前記アルキレンオキシドがエチレンオキシドであることを特徴とする前記１．に記載のフィルム。
７．  前記ウレア／ウレタンポリマーが、約１モルパーセント未満の前記記載のウレア単位を含むことを特徴とする前記１．に記載のフィルム。
８．  前記ウレタンポリマーが、イオン性の化合物または潜在的にイオン性の化合物から誘導される繰り返し単位をさらに含むことを特徴とする前記１．に記載のフィルム。
９．  請求項１に記載のウレア／ウレタンポリマーの水性分散体と界面活性剤とから調製されることを特徴とする前記１．に記載のフィルム。
１０．  アイオノマー性のウレア／ウレタンポリマーから調製されるフィルムであって、（ａ）約７００〜約１５００の分子量を有する脂肪族ポリエーテルポリオールから誘導される繰り返し単位、および（ｂ）ポリイソシアネートから誘導される繰り返し単位、を含み、
ここで前記ウレア／ウレタンポリマーには、式−Ｒ−Ｎ（Ｒ２）−Ｃ（Ｏ）−Ｎ（Ｒ２）−Ｒ１−で表されるウレア単位を約２モルパーセント未満で含み；
ここでＲは芳香族のＣ６〜Ｃ２０炭化水素基であり、Ｒ１は脂肪族のＣ１〜Ｃ２０炭化水素基であり、そしてＲ２はＨ、または式−Ｃ（Ｏ）−Ｎ（Ｒ２）−Ｒ−で表されるアミド基であることを特徴とするフィルム。
１１．  イオン性の化合物または潜在的にイオン性の化合物から誘導される繰り返し単位を含むことを特徴とする前記１０．に記載のフィルム。
１２．  前記イオン性の化合物または潜在的にイオン性の化合物が、一般式（ＨＯ）ｘＲ７（ＣＯＯＨ）ｙのヒドロキシ−カルボン酸を含み、ここでＲ７は、１〜１２個の炭素原子を含む直鎖状または分岐状の炭化水素基を表し、ｘおよびｙはそれぞれ独立して、１〜３の数を表すことを特徴とする前記１１．に記載のフィルム。
１３．  前記イオン性の化合物または潜在的にイオン性の化合物が、２，２’ジメタノールプロピオン酸を含むことを特徴とする前記１１．に記載のフィルム。
１４．  前記ポリイソシアネートが、トルエンジイソシアネート、メチレンジフェニルジイソシアネートおよびポリメチレンポリフェニルイソシアネートからなる群より選択されることを特徴とする前記１０．に記載のフィルム。
１５．  前記ポリエーテルポリオールが式ＨＯ−［（ＣＲ５Ｈ）ｍ−Ｏ−］ｎ−Ｈで表され、ここでＲ５は水素、ハロゲン、またはＣ１〜Ｃ４アルキルラジカルであり；ｍは３または４であり；そしてｎは約８〜約２０の範囲であることを特徴とする前記１０．に記載のフィルム。
１６．  Ｒ５が水素であることを特徴とする前記１５．に記載のフィルム。
１７．  前記ポリエーテルポリオールが、約９００〜約１１５０の範囲の分子量を有することを特徴とする前記１０．に記載のフィルム。
１８．  前記ウレア／ウレタンポリマーが、約１モルパーセント未満の前記記載のウレア単位を含むことを特徴とする前記１０．に記載のフィルム。
１９．  前記１０．に記載のウレア／ウレタンポリマーの水性分散体と界面活性剤とから調製されることを特徴とする前記１０．に記載のフィルム。
２０．  アイオノマー性のウレア／ウレタンポリマーから調製されるフィルムであって、（ａ）脂肪族ポリエステルポリオールから誘導される繰り返し単位、および（ｂ）ポリイソシアネートから誘導される繰り返し単位、を含み、
ここで前記ウレア／ウレタンポリマーには、式−Ｒ−Ｎ（Ｒ２）−Ｃ（Ｏ）−Ｎ（Ｒ２）−Ｒ１−で表されるウレア単位を約２モルパーセント未満で含み、
ここでＲはＣ６〜Ｃ２０の芳香族炭化水素基であり、Ｒ１はＣ１〜Ｃ２０の脂肪族炭化水素基であり、そしてＲ２はＨ、または式Ｃ（Ｏ）−Ｎ（Ｒ２）−Ｒ−で表されるアミド基である、ことを特徴とするフィルム。
２１．  イオン性の化合物または潜在的にイオン性の化合物から誘導される繰り返し単位を含むことを特徴とする前記２０．に記載のフィルム。
２２．  前記イオン性の化合物または潜在的にイオン性の化合物が、一般式（ＨＯ）ｘＲ７（ＣＯＯＨ）ｙのヒドロキシ−カルボン酸を含み、ここでＲ７は、１〜１２個の炭素原子を含む直鎖状または分岐状の炭化水素基を表し、ｘおよびｙはそれぞれ独立して、１〜３の数を表すことを特徴とする前記２１．に記載のフィルム。
２３．  前記イオン性の化合物または潜在的にイオン性の化合物が、２，２’ジメタノールプロピオン酸を含むことを特徴とする前記２１．に記載のフィルム。
２４．  前記ポリイソシアネートが、トルエンジイソシアネート、メチレンジフェニルジイソシアネートおよびポリメチレンポリフェニルイソシアネートからなる群より選択されることを特徴とする前記２０．に記載のフィルム。
２５．  前記ポリエステルポリオールが、エチレンアジペート、ブチレンアジペート、エチレン／ブチレンアジペート、およびそれらの混合物からなる群より選択される、ジヒドロキシ末端ポリマーであることを特徴とする前記２０．に記載のフィルム。
２６．  前記ウレア／ウレタンポリマーが、約１モルパーセント未満の前記記載のウレア単位を含むことを特徴とする前記２０．に記載のフィルム。
２７．  前記２０．に記載のウレア／ウレタンポリマーの水性分散体と界面活性剤とから調製されることを特徴とする前記２０．に記載のフィルム。
２８．  手袋の形態に加工されていることを特徴とする前記１．、１０．および２０．に記載のフィルム。
２９．  親指と人差し指をイソプロピルアルコールに漬けた後、約３０〜約６０秒間こすり合わせても、両指の間の接触点で前記手袋に穴が開いたり破れたりすることがないことを特徴とする前記２８．に記載の手袋。